(57)【要約】【課題】磁気記録または／および再生を行う磁気記録再生装置において、剥離あるいは他部からの移着等による塵埃（摺接粉と呼称する）に起因する上述した再生出力の減少、ドロップアウト等の問題の改善を図る。【解決手段】磁気記録媒体の摺接粉を掻きとるクリーニング機構２を具備し、そのクリーニング機構２が、磁気ヘッドに接触・離間するクリーニングローラＲｃと、爬掻ブレードＢとを有し成り、爬掻ブレードＢは、クリーニングローラＲｃの軸方向に沿って刃先の稜線が延在し、クリーニングローラの回転によって、このクリーニングローラの周面に沿って刃先が摺動し得る構成とされる。このようにして、爬掻ブレードによって磁気ヘッドからクリーニングローラに移着された磁気記録媒体の磁性層等の摺接粉を掻きとって、この摺接粉が、クリーニングローラから再び磁気ヘッドに移着されることを回避する。【選択図】　　　　図１
2004039080.tif 000002
【特許請求の範囲】
【請求項１】
摺接粉のクリーニング機構を具備し、
該クリーニング機構が、磁気ヘッドに接触・離間するクリーニングローラと、爬掻ブレード部とを有し、
該爬掻ブレード部は、上記クリーニングローラ周面に対してその軸方向に沿って刃先の稜線が延在し、クリーニングローラの回転によって、該クリーニングローラの周面に沿って上記刃先が摺接し得る爬掻ブレードを有して成ることを特徴とする磁気記録再生装置。
【請求項２】
上記爬掻ブレードは、上記クリーニングローラに対する摺接状態いおいて、上記爬掻ブレード刃先の摺接部における上記クリーニングローラ周面の接線に対する上記爬掻ブレードの、上記クリーニングローラの回転方向に関する手前側の刃面の仰角が、３０°〜６０°の範囲に選定されることを特徴とする請求項１に記載の磁気記録再生装置。
【請求項３】
摺接粉のクリーニング機構を具備し、
該クリーニング機構が、磁気ヘッドに対する磁気記録媒体の移行途上の、記録または／および再生時の順方向移行方向に関する磁気ヘッドより手前側と後方側とに、爬掻ブレードをそれぞれ有する第１の爬掻ブレード部と第２の爬掻ブレード部とが配置されて成り、
上記第１の爬掻ブレード部は、少なくとも上記磁気記録媒体の順方向移行において上記磁気記録媒体の磁性層側に摺接するブレードを有し、
上記第２の爬掻ブレード部は、少なくとも上記磁気記録媒体の逆方向移行において上記磁気記録媒体の背面側に摺接するブレードを有して成ることを特徴とする磁気記録再生装置。
【請求項４】
上記各爬掻ブレード部は、それぞれ回転支持され、その回転により、上記各ブレードの刃先が上記磁気記録媒体に対して摺接・離間がなされる構成としたことを特徴とする請求項３に記載の磁気記録再生装置。
【請求項５】
上記各爬掻ブレード部は、それぞれ回転支持され、各爬掻ブレード部の回転によって、それぞれ磁気記録媒体の移行方向に応じて該磁気記録媒体の磁性層側の面と背面側の面とに対する傾きが変更される構成としたことを特徴とする請求項３に記載の磁気記録再生装置。
【請求項６】
上記第１および第２の爬掻ブレード部は、回転支持されかつ複数のブレードを有して成り、各爬掻ブレード部の回転によって、上記複数のブレードが交互に磁性層側の面と背面側の面とに対する傾きが変更される構成としたことを特徴とする請求項３に記載の磁気記録再生装置。
【請求項７】
上記各爬掻ブレードは、それぞれの上記磁気記録媒体に対する摺接状態において、該磁気記録媒体の移行方向に関する手前側の刃面の上記磁気記録媒体面に対する仰角が、１５°〜７５°の範囲に選定されることを特徴とする請求項３、４、５または６に記載の磁気記録再生装置。
【請求項８】
摺接粉のクリーニング機構を具備し、
該クリーニング機構が、磁気ヘッドに対する磁気記録媒体の移行途上の、記録または／および再生時の順方向移行方向に関する磁気ヘッドより手前側に、爬掻ブレード部が配置され、
該爬掻ブレード部は、複数の爬掻ブレードが可動ブレード支持部に支持され、上記磁気記録媒体の順方向移行と逆方向移行とにおいて、それぞれ上記ブレード支持部の可動位置の選定によって、選択された爬掻ブレードが、上記磁気記録媒体の磁性層側に所要の仰角をもって摺接することを特徴とする磁気記録再生装置。
【請求項９】
上記各爬掻ブレードは、それぞれの上記磁気記録媒体に対する摺接状態において、該磁気記録媒体の移行方向に関する手前側の刃面の上記磁気記録媒体面に対する仰角が、１５°〜７５°の範囲に選定されることを特徴とする請求項８に記載の磁気記録再生装置。
【発明の詳細な説明】
【０００１】
【発明の属する技術分野】
本発明は、例えば磁気記録媒体の各部との摺接等によって発生、あるいは付着した磁性粉等の塵埃（本明細書においては摺接粉と呼称する）の、磁気ヘッド、磁気記録媒体等における汚損による再生出力のドロップアウト、エラー等の発生の改善を図るようにした磁気記録または／および再生を行う磁気記録再生装置（以下単に磁気記録再生装置という）に関わる。
【０００２】
【従来の技術】
ビデオテープレコーダ（ＶＴＲ）等における磁気記録再生装置において、高画質および長時間記録を図るためには、高密度記録が一層強く要求される。
記録媒体として、磁気記録媒体が用いられる場合、いわゆる金属磁性薄膜型の磁気記録媒体が、高密度記録に適している。
【０００３】
この金属磁性薄膜型磁気記録媒体は、磁性材料の塗布によるいわゆる塗布型磁気記録媒体に比して保磁力、角形比および短波長領域における電磁変換特性にすぐれているだけでなく、磁性層の薄膜化が可能であるために、記録減磁や、再生時の厚み損失が著しく小さいことや、塗布型におけるような磁性層中に、非磁性材の結合剤の混入の必要がないことから、磁性材の充填密度を高くできるなどの多くの利点を有する。
【０００４】
また、磁気記録媒体は、使用される記録再生装置によって、ディスク状、テープ状等の各種形状が採られる。これらにおいては、磁性層上に記録されるトラックパターンを記録再生磁気ヘッドが、常時正確にトレースし、記録信号を正確に記録、再生するこができるようにすることが装置の良否を決定する。すなわち、例えば回転ヘッドによって記録または／および再生がなされる構成による場合、回転ヘッドと磁気記録媒体との接触状態が、外乱等によって影響を受けずに、安定な状態を維持する上で重要なポイントになる。
【０００５】
特に、金属薄膜型構成においては、塗布型構成に比して電磁変換特性にすぐれていることから、短波長記録を行うことで、より小型化、より高密度化を容易に図ることができる。例えば、記録パターンにおけるトラックピッチの狭幅化等がなされる。しかしながら、短波長記録によることは、逆に外乱等の影響を、より受け易くなる。
したがって、磁気記録媒体例えば磁気テープ走行において、この磁気記録媒体と各部との摺動等による摺接粉が、磁気ヘッドに移着して、この摺接粉が、磁気テープと磁気ヘッドとの間に介在することでスペーシング損失が発生し、再生出力の減衰、いわゆるドロップアウトが発生し、安定して正常な記録再生の維持が困難となってくるなどの問題を来す。
この磁気ヘッドに対する摺接粉の移着は、磁気抵抗効果型磁気ヘッドが適用される場合において、特性への影響が、より大きい。
【０００６】
このような磁気ヘッドに移着した摺接粉を排除するために、例えばＶＴＲにおいて、その磁気テープのテープガイド走行系におけるように、磁気ヘッドを搭載した回転ドラムの、磁気テープが案内走行される側とは反対側の位置に、すなわち磁気ヘッドに対して磁気テープが接触することのない位置に、磁気ヘッドの磁気テープ摺動面に摺接するクリーニングローラが設置され、このクリーニングローラの周面に、磁気ヘッドに付着された摺接粉を移着させて排除する構成とする場合がある。
しかしながら、この場合においても、多頻度、長時間の使用によってクリーニングローラに移着した摺接粉によって磁気ヘッドからの排除効果が低下するのみならず、逆にこのクリーニングローラに付着された摺接粉が磁気ヘッドに再び移着するという不都合が生じる。
【０００７】
また、磁気記録媒体例えば磁気テープ表面に、残されている摺接粉に関しても、ガイドローラ等への移着や、記録、再生あるいは巻き戻しに際して磁気ヘッドへの再度の移着が生じる。そこで、磁気テープ表面の摺接粉の排除も必要となってくる。
この問題に対処して、磁気テープの磁性層側の表面に摺動してこの摺接粉を掻き取るブレード、すなわち爬掻ブレードを配置することがなされる。
しかしながら、このように磁性層側の摺接粉に関する爬掻を行っても、例えば磁気テープが供給リールあるいは巻取りリールに巻き込まれた状態では、磁性層側と、その反対側の背面側とが接触状態となることから、磁性層側の摺接粉が背面側に転写されるとか、あるいは背面側に転写された摺接粉が更に磁性層側に転写するなどから、この摺接粉に関わる問題の改善は、必ずしも充分になされない。
【０００８】
【発明が解決しようとする課題】
本発明においては、摺接粉、すなわち例えば磁気記録媒体からの剥離あるいは他部からの移着等による塵埃に起因する上述した再生出力の減少、ドロップアウト等の問題を効果的に排除することができるようにした磁気記録または／および再生を行う磁気記録再生装置を提供するものである。
【０００９】
【課題を解決するための手段】
本発明は、磁気記録媒体の摺接粉を掻きとるクリーニング機構を具備する。
本発明による磁気記録再生装置としては、そのクリーニング機構が、磁気ヘッドに接触・離間するクリーニングローラと、爬掻ブレードとを有し成り、爬掻ブレードは、クリーニングローラの軸方向に沿って刃先の稜線が延在し、クリーニングローラの回転によって、このクリーニングローラの周面に沿って刃先が摺動し得る構成とされる。
このようにして、磁気ヘッドからクリーニングローラに移着された磁気記録媒体の磁性層等の摺接粉を、爬掻ブレードによって掻きとって、この摺接粉が、クリーニングローラから再び磁気ヘッドに移着されることを回避する。
【００１０】
この構成における爬掻ブレードは、クリーニングローラに対する摺接状態において、図１９に示すように、クリーニングローラＲｃの矢印ａで示す回転方向に関する爬掻ブレードＢの手前側の刃面Ｂｆ（以下この手前側の刃面を前方刃面といい、これとは反対側の刃面Ｂｂを後方刃面という）の、クリーニングローラＲｃの周面に対する摺接部における接線ｂに対する角度θ（以下、この角度を仰角という）は３０°〜６０°の範囲に選定することが望ましい。
【００１１】
また、本発明による磁気記録再生装置は、クリーニング機構が、磁気ヘッドに対する磁気記録媒体の移行途上の、記録または／および再生時の順方向移行方向に関する磁気ヘッドより手前側と後方側とに、それぞれ配置され、それぞれ爬掻ブレードを有する第１の爬掻ブレード部と第２の爬掻ブレード部とが配置された構成とされる。
【００１２】
これら第１および第２の爬掻ブレード部は、少なくとも順方向移行において、第１の爬掻ブレード部のブレードが磁性層側に摺接され、少なくとも逆方向移行において第２の爬掻ブレード部のブレードが磁気記録媒体の背面側に摺接される構成とする。
あるいは、第１および第２の爬掻ブレード部は、順方向移行および逆方向移行において、それぞれ磁気記録媒体の磁性層側および背面側に摺接するブレードの傾きを変更してそれぞれにおいて、それぞれの傾きを摺接粉の爬掻に適した傾きに選定する構成とする。
更に、あるいは第１および第２の爬掻ブレード部は、複数のブレードを有する構成として、磁気記録媒体の順方向移行および逆方向移行において、それぞれ選択されたブレードを磁性層側および背面側に摺接させることによって、磁性層および背面に摺接するブレードのその移行方向に関して摺接粉の爬掻に適した傾きに選定する構成とする。
【００１３】
この摺接粉の爬掻に適した傾きとは、図２０Ａに示すように、磁気記録媒体の爬掻ブレードに対する移行方向に関する手前側の前方刃面Ｂｆが、磁気記録媒体との摺接位置より後方側の磁気記録媒体における媒体面との成す角すなわち仰角θが鋭角である傾きである。すなわち図２０Ｂに示すように、仰角θが鈍角である場合は、摺接粉を、ブレードと磁気記録媒体との間に取り込む状態となり、摺接粉を磁気記録媒体に再付着させることから、摺接粉の爬掻に適した傾きとはならない。
そして、この仰角θは、１５°〜７５°とすることが望ましい。
【００１４】
【発明の実施の形態】
本発明装置の実施の形態を例示説明するが、本発明は、この例に限定されるものではない。
〔第１の実施の形態〕
この実施の形態は、図１にその一例の概略配置を示すように、磁気ヘッド１に対して磁気記録媒体が摺接することによって磁気ヘッド１に移着した摺接粉をクリーニングするクリーニング機構２を具備する磁気記録再生装置に適用した場合である。
図１の例では、ＶＴＲ（Ｖｉｄｅｏ　Ｔａｐｅ　Ｒｅｃｏｒｄｅｒ）を例示するものであり、磁気ヘッド１が、回転磁気ヘッド装置１１として構成されている。
この回転磁気ヘッド１１装置は、図２にその一例の概略側面図を示すように、同心的に配置された固定ドラム３と回転ドラム４とを有し、その回転ドラム４に磁気ヘッド１が配置された構成とされている。
【００１５】
クリーニング機構２は、クリーニングローラ部５と、爬掻ブレード部６とを有して成る。
クリーニングローラ部５は、その周面が例えばポリウレタンの発泡樹脂によって構成されたクリーニングローラＲｃが、クリーニングローラ支持部８上に、支持されて成る。この支持部８は、可動、例えば図１に示すように、軸９を中心に回動可能に軸支されたアームを有し、例えばその遊端に、クリーニングローラＲｃが回転自在に軸支される。
爬掻ブレード部６は、爬掻ブレードＢを有して成る。この爬掻ブレードＢは、例えばサファイヤ製のブレードによって構成され、これがブレード支持部１３に支持されて例えば所定位置に固定される。
【００１６】
一方、テープカセット１４内の供給リール１５から磁気テープすなわち磁気記録媒体Ｍが繰り出され、それぞれ回転ガイド１７、固定ガイド１８等によって案内されて、回転磁気ヘッド装置１１の固定ドラム３および回転ドラム４の周面を斜めに巡って移行するようになされ、駆動機構すなわちキャプスタン１９およびピンチローラ２０によって挟持されて、所定の移行速度に制御されてテープカセット１４内の巻取りリール１６に巻き取られるようになされる。
このようにして、回転磁気ヘッド装置１１において、磁気ヘッド１が、磁気テープに摺接して、記録あるいは再生がなされる。
【００１７】
クリーニングローラＲｃは、回転磁気ヘッド装置１１の、磁気記録媒体Ｍに対する磁気ヘッド１の非接触位置において、支持部８の回動によって、磁気ヘッド１に接触させたり、離間させたりなされる。
一方、このクリーニングローラＲｃは、磁気ヘッド１に対する接触位置では、爬掻ブレードＢから離間する。また、磁気ヘッド１から離間させた位置で図３に要部の概略平面図を示すように、爬掻ブレードＢの刃先に接触するようになされる。
クリーニングローラＲｃの支持部８には、例えば引っ張りばね７が係合されて、クリーニングローラＲｃの爬掻ブレードＢに対する接触が、所要の接触圧力をもってなされるようにする。
【００１８】
この構成において、例えば記録もしくは再生後の、磁気記録媒体Ｍの巻き戻し状態等の走行モード切換え時に、クリーニングローラＲｃが、回転磁気ヘッド装置１１、すなわち磁気ヘッド１に数秒程度接触するようになされ、この接触によって、磁気ヘッド１の付着物が、クリーニングローラＲｃによって除去される。このとき、磁気ヘッド１は、高速回転されていることから、これに伴って、クリーニングローラＲｃは高速回転される。
この状態から、クリーニングローラＲｃは、その支持部８によって回転磁気ヘッド装置１１から離なされる。このとき、クリーニングローラＲｃは、慣性によって回転した状態で固定状態にある爬掻ブレードＢに接触し、この爬掻ブレードＢによって、クリーニングローラＲｃの付着物が爬掻除去される。
【００１９】
クリーニングローラＲｃに対する爬掻ブレードＢの接触部の前方には、爬掻された摺接粉の飛散を防止する飛散防止板１０が配置される。
【００２０】
クリーニングローラＲｃと爬掻ブレードＢの接触は、図３に示すように、クリーニングローラＲｃの矢印ａで示す回転方向に関するブレードＢの手前側の刃面、すなわち前方刃面Ｂｆの仰角θを３０°〜６０°の範囲に選定する。
【００２１】
上述の構成により、回転磁気ヘッド装置１１の磁気ヘッド１に対する接触によって磁気ヘッド１に付着している摺接粉は、クリーニングローラＲｃに転写され、磁気ヘッド１のクリーニングがなされる。
そして、本発明装置においては、このこのクリーニングローラＲｃに転写された摺接粉を、爬掻ブレードＢによって爬掻除去することから、磁気ヘッド１に対する同一クリーニングローラＲｃによるクリーニング作業を、多頻度、長時間行っても、クリーニングローラＲｃ自体が、磁気ヘッドからの摺接粉によって汚染され、磁気ヘッド１に対するクリーニング効果が、低下ないしは消失したり、逆に磁気ヘッド１との接触に際して、磁気ヘッド１に移着させるおそれが解消されるものである。
【００２２】
このクリーニング機構におけるクリーニングローラによるヘッドクリーニング効果を示す１つの目安としては、２０００時間連続稼働において、再生出力減衰が３ｄＢ以内であることが挙げられる。
【００２３】
この本発明による実施形態における実施例、対比例と、本発明によらない参照例を挙げ、それぞれについてクリーニング効果の確認を行った。その方法は、通常、磁気ヘッドのクリーニングを行う場合に用いられるクリーニングテープを一切使用することなく、１時間に相当する長さの第１巻の試験磁気テープを、磁気ヘッドに対して１回パスさせて記録し、この磁気テープ上の記録を９９回連続再生することによって合計１００回のパスがなされるシャトル試験を行い、この試験の後に、新しい第２巻目の試験磁気テープについて同様のシャトル試験を行い、同様の試験を合計２０巻の磁気テープについて繰り返し行う、磁気ヘッドに対する掛け替え試験を行う。このようにして磁気ヘッドにおいて実質２０００時間の連続走行に対応する試験（以下、この方法を、長時間シャトル耐久性試験と呼称する）を行った。この試験を行った磁気ヘッドに関して出力減衰量を求めた。
【００２４】
図４は、この出力減衰量の測定のシステムの構成図を示す。この場合、ＶＴＲ２０１として民生用６．３５ｍｍ幅デジタルビデオレコーダであるソニー製ＤＣＲ−ＶＸ１０００を用い、これにクリーニングローラＲｃに対して仰角θを変更し得る爬掻ブレードＢを設けたクリーニング機構２を配置した。
磁気テープは、市販品のソニー製カセットテープを用いた。
ＶＴＲ２０１における１パス記録と、９９パスの連続再生の制御は、市販のソニー製リモコンＲＭ−９５を改造し、パーソナルコンピュータ２０２を接続することで行った。
このＶＴＲ２０１によって得たＲＦ再生信号を検波回路２０３によってＡＣ／ＤＣ（直流／交流）変換であるエンベロープ信号を求め、これを記録計２０４に記録し、初期の出力からの出力減衰量を求めた。２０５は、例えば検波回路等の電源部を示す。
【００２５】
〔実施例１〕〜〔実施例３〕
各実施例は、図１で示したクリーニング機構２において、その爬掻ブレードＢの仰角θを、３０°、４５°、６０°に選定した。
【００２６】
〔対比例１〕
上述のクリーニング機構２において、その爬掻ブレードＢの仰角θを、９０°に選定した。
〔参照例１〕
クリーニング機構２において、爬掻ブレード部６を設けずに、クリーニングローラＲｃは設けた。
〔参照例２〕
クリーニング機構を設けなかった。すなわちクリーニングローラも爬掻ブレード部も設けない構造とした。
【００２７】
これら実施例１〜実施例３、対比例１および参照例１、２について上述した長時間シャトル耐久性によって上述した測定方法によって出力減衰量の測定を行った。この測定結果を表１に示す。
【００２８】
【表１】
2004039080.tif 000003
【００２９】
これによれば、仰角θを３０°〜６０°とした実施例１〜実施例３については、すべて２０巻のテープのパスで出力減衰を３ｄＢ以下にとどめることができた。
これに対し対比例１については、実施例１〜３に比し耐久性が劣る。そして、参照例１および２については、３ｄＢ以下の出力減衰にとどめることができたのは、８巻、３巻についてのパスでしか達成することができなかった。
【００３０】
一方、長時間シャトル耐久性における上述した１００回パスによるテープ巻数と、出力減衰量の測定結果を、図５に示す。図５中、曲線５１、５２、５３は、上述した実施例１、２、３による場合、曲線５４は、上述した対比例１による場合、曲線５５および５６は、上述した参照例１および２の場合である。
【００３１】
表１および図５から明らかなように、本発明装置、特に仰角θを３０°〜６０°とした実施例１〜３の仰角θによれば、出力減衰量が顕著に改善されていて、摺接粉が、磁気ヘッドから長期に渡って良好にクリーニングされていることが分かる。
【００３２】
〔第２の実施の形態〕
この実施の形態においては、図６にその一例の概略配置図を示すように、走行する磁気記録媒体Ｍに対して、摺接粉を排除するクリーニング機構１２０を具備する磁気記録再生装置とした場合である。
この例においても、ＶＴＲを例示したものであり、磁気ヘッド１が、回転磁気ヘッド装置１１として構成されているものであり、図６において、図１と対応する部分には同一符号を付して重複説明を省略する。
【００３３】
この実施の形態においては、図６に示すように、そのクリーニング機構１２０が、回転磁気ヘッド装置１１に対する磁気記録媒体Ｍの移行途上の、記録または／および再生時の順方向移行方向に関する磁気ヘッド装置１１より手前側と後方側とに、それぞれ例えばサファイヤブレードより成る爬掻ブレードＢを有する第１の爬掻ブレード部１２１と第２の爬掻ブレード部１２２とが配置された構成とされる。
【００３４】
これら第１および第２の爬掻ブレード部１２１および１２２は、図７にその背面図を示すように、それぞれブレード支持部２３に、爬掻ブレードＢが支持された構成を有する。
図８は、第１および第２の爬掻ブレード部１２１および１２２の各ブレードＢの、磁気記録媒体Ｍに対する位置関係を示す模式的平面図で、磁気記録媒体Ｍの一方の主面ｆｍ　が、磁性層を有する側の面であり、他方の主面ｆｂ　が背面側の面を示す。この図８において、磁気記録媒体Ｍは、右方向への移行を、再生および記録時の移行、すなわち順方向移行（ＦＷＤ）とし、これとは反対の左方向への巻き戻し移行を、逆方向（ＢＷＤ）とする。
【００３５】
第１および第２の爬掻ブレード部１２１および１２２の各ブレード支持部２３は、爬掻ブレードＢを、可動支持例えば回動支持する構成とする。この回動によって、各爬掻ブレードＢを、磁気記録媒体Ｍの磁性層側の面ｆｍ　と背面側ｆｂ　に対して、それぞれ実線および鎖線で示すように、摺接、離間するようになされる。
すなわち、磁気記録媒体Ｍが順方向移行ＦＷＤの状態にあるとき、支持部２３の回動によって、図８において実線図示のように、第１の爬掻ブレード部１２１の爬掻ブレードＢは、磁気記録媒体Ｍの磁性層側の面ｆｍ　に摺接するようになされ、第２の爬掻ブレード部１２２の爬掻ブレードＢは、磁気記録媒体Ｍの背面側の面ｆｂ　から離間するようになされる。
逆に、磁気記録媒体Ｍが逆方向移行ＢＷＤの状態にあるとき、支持部２３の例えば逆回転によって図８において鎖線図示のように、第１の爬掻ブレード部１２１の爬掻ブレードＢは、磁気記録媒体Ｍの磁性層側の面ｆｍ　から離間するようになされ、第２の爬掻ブレード部１２２は、磁気記録媒体Ｍの背面側の面ｆｂ　に摺接するようになされる。
【００３６】
そして、これら第１および第２の爬掻ブレード部１２１および１２２の、各爬掻ブレードＢの幅は、磁気記録媒体Ｍの全幅に渡って摺接することができるように磁気記録媒体、すなわち磁気テープの幅より大に選定される。
また、これら爬掻ブレードＢの、磁気記録媒体Ｍの各面ｆｍ　およびｆｂ　に対する仰角θは、１５°〜７５°の範囲に選定することが望ましいものである。
【００３７】
この実施形態による磁気記録再生装置によれば、磁気記録媒体に対してその磁性層側の面ｆｍ　のみならず、背面側の面ｆｂ　についても、摺接粉の爬掻すなわちスキージングがなされることによって、移動性の信号欠落、すなわちドロップアウトの原因となる欠陥部が有効に除去される。
すなわち、磁気記録媒体Ｍにおいて、何らかの原因、例えば他との摺接、あるいはリール上への磁気記録媒体Ｍの巻き込みによって、摺接粉が背面側に移着された場合においても、第２の爬掻ブレード部１２２によってこの背面側の摺接粉が排除されることによって、この摺接粉によって、磁気ヘッドが汚損されたり、磁気記録媒体が汚損されて、信号のドロップアウトの発生を有効に回避することができるものである。
【００３８】
この場合においても、クリーニング機構１２０によるクリーニング効果を示す１つの目安としては、２０００時間の連続稼働において異質破綻を来すドロップアウトの増加が認められない場合は、磁気記録再生装置として良好な装置とすることができる。
【００３９】
この本発明による実施形態における実施例、対比例と、本発明によらない参照例を挙げ、それぞれについてクリーニング効果の確認を行った。その方法は、図９にその作業のフローを示すように、クリーニングテープを一切使用することなく、１時間に相当する長さの第１巻の試験磁気テープを、１回目走行としての全長記録を行い、続いて２回目走行としてその全長に渡るドロップアウト測定（以下ＤＯ測定という）を行った。その後９７回の連続繰り返し再生を行って後、つまり、９８回目の走行を行って後、９９回目の走行において、全長に渡るＤＯ測定を行った。次に、第２巻の同様の試験磁気テープについて、同様の作業を行い、全２０巻の磁気テープに関して同様の作業を行い、実質２０００時間連続走行による試験（以下、この方法を、長時間シャトルＤＯ測定と呼称する）を行った。
【００４０】
図１０は、このＤＯ測定のシステムの構成図を示す。　　　　　　　　　　　ここで、ＶＴＲ１１１として民生用６．３５ｍｍ幅デジタルビデオレコーダであるソニー製ＤＨＲ−１０００を用い、これに第１および第２の爬掻ブレード部１２１および１２２を設け、且つこれらの爬掻ブレードＢの仰角θを変更できるようにした。
また、磁気テープは、市販品のソニー製カセットテープを用いた。そしてＶＴＲのシャトル走行には、市販のソニー製リモコンＲＭ−９５を改造し、パーソナルコンピュータ１１２と接続することで、ＶＴＲ１１１の制御を行った。また、ＶＴＲ１１１のＲＦ（高周波）再生信号波形、およびスイッチングバルス波形信号を、オシロスコープ１１３に導入し、更に市販のＤＯカウンター１１４（シバソク：ＶＨ０６ＡＺ）に取り込み再生信号のＤＯ量を測定し、記録計１１５例えばプリンターを通じて出力アウトすることで求めた。尚、ここで、ＤＯ計測サイズは、画質破綻に関する−６ｄＢ５０μｓを基準とし、最大１分当たり５個以下であることを判定基準とした。
【００４１】
〔実施例４〕〜〔実施例６〕
各実施例は、図６で示すように、第１および第２の爬掻ブレード部１２１および１２２を有するクリーニング機構２を設けた場合で、表２に示すように、第１の爬掻ブレード部１２１のブレードＢの仰角θを７５°に設定し、第２の爬掻ブレード部１２２のブレードＢの仰角θをそれぞれ１５°、４５°、７５°に設定した。
【００４２】
【表２】
2004039080.tif 000004
【００４３】
〔対比例２〕
実施例４〜６におけると同様に、第１および第２の爬掻ブレード部１２１および１２２を設けるものの、その第２の爬掻ブレード部１２２のブレードＢの仰角θを９０°とした。
【００４４】
〔参照例３〕
この例においては、第２の爬掻ブレード部１２２の設置を省略した場合である。
〔参照例４〕
この例においては、第１の爬掻ブレード部１２１の設置を省略した場合である。
【００４５】
図１１ＡおよびＢは、実施例４、５および実施例６、対比例２に対するそれぞれの前述したＤＯ測定に基く、ＤＯ最大測定値の測定結果と走行時間との関係を示したものであり、図１２は、参照例３および４に対する同様の関係を示したものである。
【００４６】
図１１と図１２とを比較して明らかなように、磁気記録媒体の両面に対して第１および第２の爬掻ブレード部１２１および１２２を配置した本発明構成によれば、いづいれか一方のみを設けた場合に比し、格段的に走行時間に対するＤＯの改善が図られる。
【００４７】
特に、本発明による実施例４〜６によれば、長時間シャトル試験で２０００時間走行を行っても６ｄＢ５０μｓのＤＯが、最大１分当たり５個以下という以下という結果が得られた。
これに対し、仰角を大きくした対比例２は、実施例４〜６に比しては劣り、殊に、第１および第２の爬掻ブレード部１２１および１２２のいずれか一方のみが設けられた参照例３および４は、６ｄＢ５０μｓのＤＯが、最大１分当たり５個にとどめ得る走行時間は、１０００時間にも満たない。
すなわち、これら結果によれば、仰角θが１５°〜７５°においてクリーニング効果を長時間維持することができることが分かる。
【００４８】
上述したように、磁気記録媒体Ｍの両面に対してそれぞれクリーニング用の爬掻ブレード部１２１および１２２を配置した構成とし、更に望ましくは、その仰角θを１５°〜７５°とするときは、クリーニング効果を高め、かつその効果の長時間維持を可能にするものである。
【００４９】
次に、第３の実施の形態について説明する。
上述した第２の実施の形態においては、第１および第２の爬掻ブレード部１２１および１２２を配置するものの、磁気記録媒体Ｍの順方向および逆方向に対し、一方のみを動作させる構成としたものである。
これに対し、第３の実施の形態においては、第１および第２の爬掻ブレード部１２１および１２２において、磁気記録媒体Ｍの順方向および逆方向の双方に関してそれぞれ同時に各ブレードＢが磁気記録媒体Ｍの磁性層側の面ｆｍ　と背面側の面ｆｂ　とに対して、摺接して良好に摺接粉の取り除きを行うことができる構成とする。
【００５０】
〔第３の実施の形態〕
この実施の形態においては、図１３にその一例の概略配置を示すように、この実施の形態においても走行する磁気記録媒体Ｍに対して、摺接粉を排除するクリーニング機構１２０を具備する磁気記録再生装置とした場合である。
この例においても、ＶＴＲを例示したものであり、磁気ヘッド１が、回転磁気ヘッド装置１１として構成されているものであり、図１３において、図１および図６と対応する部分には同一符号を付して重複説明を省略する。
【００５１】
また、この実施の形態においても、図１３に示すように、そのクリーニング機構１２０が、回転磁気ヘッド装置１１に対する磁気記録媒体Ｍの移行途上の、記録または／および再生時の順方向移行方向に関する磁気ヘッド装置１１より手前側と後方側とに、それぞれ例えばサファイアブレードより成る爬掻ブレードＢを有する第１の爬掻ブレード部１２１と第２の爬掻ブレード部１２２とが配置された構成とされる。
【００５２】
しかしながら、この実施の形態においては、これら第１および第２の爬掻ブレード部１２１および１２２が、共にそれぞれ複数の爬掻ブレードＢ、図１３の例では、それぞれ第１および第２の２個の爬掻ブレードＢ１ａおよびＢ１ｂ　，Ｂ２ａおよびＢ２ｂが設けられて成る。
第１のブレード部１２１において、第１と第２の爬掻ブレードＢ１ａとＢ１ｂとが、共通の可動ブレード支持部、例えば回転軸６１で回動するブレード支持部３３１に支持され、また第２のブレード部１２２において、第１と第２の爬掻ブレードＢ２ａとＢ２ｂとが、共通の可動ブレード支持部例えば回転軸６２で回動するブレード支持部３３２に支持される。
【００５３】
そして、各ブレード支持部３３１および３３２の回動位置の選定によって図１４Ａに示すように、順方向ＦＷＤ方向に進行する磁気記録媒体Ｍの磁性層側の面ｆｍ　と背面側の面ｆｂ　とに対して、両第１および第２の爬掻ブレード部１２１および１２２の各一方の爬掻ブレードＢ１ａとＢ２ａとが、それぞれ第２の実施の形態において説明したと同様の所要の仰角θ、望ましくは前述した１５°〜７５°の角度をもって摺接させる。すなわち、この実施の形態においては、第１および第２の爬掻ブレード部１２１および１２２を、磁気記録媒体Ｍの両移行方向に対してブレードを摺接させる構成（以下両方摺接可動構成という）とする。
【００５４】
また、各ブレード支持部３３１および３３２の他の回動位置によって図１４Ｂに示すように、逆方向ＢＷＤ方向に進行する磁気記録媒体Ｍの磁性側面ｆｍ　と背面側の面ｆｂ　とに対して、各他方の爬掻ブレードＢ１ｂおよびＢ２ｂが、同様に、それぞれ第２の実施の形態において説明したと同様の所要の仰角θ、望ましくは前述した１５°〜７５°の角度をもって摺接させる。
【００５５】
この第３の実施の形態では、磁気記録媒体Ｍの順方向ＦＷＤおよび逆方向ＢＷＤの両方向に関して磁性層側ｆｍ　と背面側ｆｂ　とに、それぞれ所要の仰角θをもって爬掻ブレードＢが摺接するものであるので、摺接粉の排除をより確実に行うことができ、より信号のドロップアウトの発生を有効に回避することができるものである。
【００５６】
この場合においても、この本発明による実施形態における実施例、対比例と、本発明によらない参照例を挙げ、それぞれについてクリーニング効果の確認を行った。その方法は、図９にその作業のフローによる長時間シャトルＤＯ測定を、図１０で説明したと同様のシステムのよって行った。
【００５７】
〔実施例７〕
この実施例は、図１３で示した両方向摺接可動構成としたクリーニング機構１２０において、第１および第２の爬掻ブレード部１２１および１２２を、磁気記録媒体ＭのＦＷＤおよびＢＷＤの両方向に対してそれぞれのブレードが摺接するようにした場合で、第１の爬掻ブレード部１２１については、θ＝７５°とし、第２のブレード部１２２についてはθ＝１５°とした場合である。
【００５８】
〔実施例８〕
この実施例は、図１３で示した両方向摺接可動構成としたクリーニング機構１２０において、第１および第２の爬掻ブレード部１２１および１２２を、磁気記録媒体ＭのＦＷＤおよびＢＷＤの両方向に対してそれぞれのブレードが摺接するようにした場合で、第１の爬掻ブレード部１２１については、θ＝１５°とし、第２のブレード部１２２についてはθ＝７５°とした場合である。
【００５９】
次に、第４の実施の形態を挙げて説明する。
この例においても、ＶＴＲを例示したものであり、磁気ヘッド１が、回転磁気ヘッド装置１１として構成されているものである。
この実施の形態においては、図１５にその概略構成を示すように、この実施の形態においても、走行する磁気記録媒体Ｍに対して、摺接粉を排除するクリーニング機構１２０を具備する磁気記録再生装置とした場合であるが、この実施の形態においては、そのクリーニング機構１２０が、回転磁気ヘッド装置１１に対する磁気記録媒体Ｍの移行途上の、記録または／および再生時の順方向移行方向に関する磁気ヘッド装置１１より手前側において、磁気記録媒体Ｍの磁性層側に対する摺接粉の除去を行う構成とした場合である。
【００６０】
すなわち、この例においては、いわば、図１３における第２の爬掻ブレード部１２２が省略され、第１の爬掻ブレード部１２１による構成を有して成る。
この実施の形態においても、図１５に示すように、そのブレード部１２１が、それぞれ例えばサファイアブレードより成る第１および第２の２個の爬掻ブレードＢ１ａおよびＢ１ｂが設けられて成る。
これら爬掻ブレードＢ１ａとＢ１ｂは、共通の可動ブレード支持部、例えば回動するブレード支持部３３１に支持される。
図１５において、図１３と対応する部分には同一符号を付して重複説明を省略する。
【００６１】
そして、各ブレード支持部３３１の回動位置の選定によって図１６Ａに示すように、順方向ＦＷＤ方向に進行する磁気記録媒体Ｍの磁性層側の面ｆｍ　に対して、一方の爬掻ブレードＢ１ａが、前述した所要の仰角θ、望ましくは前述した１５°〜７５°の角度をもって摺接させる。
【００６２】
また、ブレード支持部３３１の他の回動位置の選定によって図１６Ｂに示すように、逆方向ＢＷＤ方向に進行する磁気記録媒体Ｍにおいては、その同様の磁性側面ｆｍ　に対して、他方の爬掻ブレードＢ１ｂが、同様に、前述したと同様の所要の仰角θ、望ましくは前述した１５°〜７５°の角度をもって摺接させる。
【００６３】
この第４の実施の形態においては、磁気記録媒体Ｍの順方向および逆方向の両方向の移行において、磁性層側の面ｆｍ　に対して爬掻ブレードＢ１ａ，Ｂ１ｂの一方が所要の仰角で摺接する構成としたことによって摺接粉の除去が効果的になされ、ドロップアウトが良好に改善される。
【００６４】
この第４の実施の形態の実施例を挙げる。
〔実施例９〕
この実施例は、図１５で示した両方向摺接可動構成としたクリーニング機構１２１において、爬掻ブレード部１２１の爬掻ブレードＢ１ａをＢ１ｂを、上述した仰角θが７５°となる角度をもって図１６ＡおよびＢに示すように、磁気記録媒体Ｍの両方向ＦＷＤとＢＷＤにおいて、摺接させた。
【００６５】
更に、参照例５〜７を用意した。
〔参照例５〕
図１５の本発明装置に対応する構成とするものの、そのクリーニング機構１２０を単一のブレードのみによって仰角θ＝７５°の固定構造とし、磁気記録媒体Ｍの順方向ＦＷＤ方向すなわち片側方向においてのみ磁性層側ｆｍ　にのみ摺接するようにした。
【００６６】
〔参照例６〕
図１５において、クリーニング機構１２０を用いない構造とした。
【００６７】
〔参照例７〕
図１３におけるように、回転磁気ヘッド装置１１に対する磁気記録媒体Ｍの移行途上の、記録または／および再生時の順方向移行方向に関する磁気ヘッド装置１１より手前側と後方側とに、それぞれ同様のサファイアブレードより成る爬掻ブレードＢを有する第１の爬掻ブレード部と第２の爬掻ブレード部とを配置する構成とするのの、これら爬掻ブレード部を、それぞれ片側方向にのみ摺接する可動構成とした場合である。
【００６８】
表３に、実施例７〜９と、参照例５〜６の構成を比較して示す。そして、これら例について、図１７Ａに実施例８および９を、図１７Ｂに実施例７を、図１８に参照例５〜７を、それぞれ、前述したと同様の方法によって測定したＤＯ測定の、走行時間との関係の測定結果を示す。これによれば、第４の実施の形態による実施例７〜９においても、２０００時間に及ぶ走行時間に関して良好に、ＤＯの改善が図られることが分かる。
【００６９】
【表３】
2004039080.tif 000005
【００７０】
尚、本発明装置は、上述したような例に限定されるのではなく、本発明の要旨を逸脱することなく種々の構成を採り得る。
【００７１】
【発明の効果】
上述したように、本発明装置によれば、磁気記録媒体の磁気ヘッドや、ガイド、キャプスタン、ピンチローラ等との接触ないしは磁性粉の剥脱物や、この摺動等によって付着した不安定な塵埃等の摺接粉を、効果的に排除することができることから、正常な信号の書き込みや再生出力信号の取出しの阻害を回避でき、例えばＶＴＲにおいて、良好な音質と、画質を保持することができる。
また、本発明装置によれば、安定して、多頻度、多数回に渡って、磁気記録媒体の繰り返し使用を可能にすると共に、磁気ヘッドの耐用寿命の長期化を図ることができるものである。
【００７２】
上述したように、本発明装置によれば、クリーニング効果の向上および長時間維持により、記録再生に関する特性保証が向上し、信頼性の向上が図られる。
したがって、本発明装置にほれば、塗布型磁気記録媒体に比し、すぐれた電磁変換特性を生かした金属薄膜型磁気記録媒体の小型、高密度化のフォーマットの実現を、技術的により容易にするのみならず、異なるフォーマットへも応用が可能となるものである。
【００７３】
【図面の簡単な説明】
【図１】本発明による磁気記録再生装置の一例の概略配置図である。
【図２】本発明による磁気記録再生装置の一例の磁気ヘッドのクリーニング機構の一例の概略側面図である。
【図３】本発明による磁気記録再生装置の一例の磁気ヘッドのクリーニング機構の一例のクリーニング状態における概略配置図である。
【図４】出力減衰量の測定のシステムの構成図である。
【図５】長時間シャトル耐久性におけるテープ巻数と、出力減衰量の測定結果を示す図である。
【図６】本発明による磁気記録再生装置の他の一例の概略配置図である。
【図７】本発明装置のクリーニング機構の一例の要部を示す図である。
【図８】本発明装置のクリーニング機構の一例の磁気記録媒体に対する摺接・離間の関係を示す図である。
【図９】本発明装置のクリーニング機構の評価のためのドロップアウト測定のフロー図である。
【図１０】ドロップアウト測定のシステムの構成図である。
【図１１】Ａは、本発明の実施例のドロップアウト測定と走行時間との関係を示す図である。Ｂは、本発明の実施例および対比例のドロップアウト測定と走行時間との関係を示す図である。
【図１２】参考例のドロップアウト測定と走行時間との関係を示す図である。
【図１３】本発明による磁気記録再生装置の他の一例の概略配置図である。
【図１４】ＡおよびＢは、それぞれ本発明装置のクリーニング機構の一例の各動作状態の説明図である。
【図１５】本発明による磁気記録再生装置の他の一例の概略配置図である。
【図１６】ＡおよびＢは、それぞれ本発明による磁気記録再生装置の更に他の一例のクリーニング機構の各動作状態の説明図である。
【図１７】ＡおよびＢは、本発明の実施例のドロップアウト測定と走行時間との関係を示す図である。
【図１８】参考例のドロップアウト測定と走行時間との関係を示す図である。
【図１９】本発明の説明に供する磁気ヘッドに対するクリーニングローラとブレードとの関係の説明図である。
【図２０】本発明の説明に供する磁気記録媒体と爬掻ブレードとの関係の説明図である。
【符号の説明】
１・・・磁気ヘッド、２，１２０・・・クリーニング機構、３・・・固定ドラム、４・・・回転ドラム、５・・・クリーニングローラ部、６・・・爬掻ブレード部、７・・・引っ張りばね、、８・・・クリーニングローラ支持部、９・・・軸、１０・・・１０・・・飛散防止板、１１・・・回転磁気ヘッド装置、Ｒｃ・・・爬掻ブレード、１３・・・ブレード支持部、１４・・・テープカセット、１５・・・供給リール、１６・・・巻取りリール、１７・・・回転ガイド、１８・・・固定ガイド、１９・・・キャプスタン、２０・・・ピンチローラ、６１，６２・・・回転軸、１１１・・・ＶＴＲ、１１２・・・制御用コンピュータ、１１３・・・オシロスコープ、１１４・・・ＤＯカウンタ、１１５・・・記録計、１２１・・・第１の爬掻ブレード部、１２２・・・第２の爬掻ブレード部、２０１・・・ＶＴＲ、２０２・・・制御用コンピュータ、２０３・・・検波回路、２０４・・・記録計、３３１，３３２ブレード支持部、Ｂ・・・爬掻ブレード、Ｂｆ・・・前方刃面、Ｂｂ・・・後方刃面、Ｍ・・・磁気記録媒体、ｆｍ　・・・磁性層側の面、ｆｂ　・・・背面側の面、Ｂ１ａおよびＢ１ｂ　，Ｂ２ａおよびＢ２ｂ・・・ブレード
【図１】
2004039080.tif 000006
【図２】
2004039080.tif 000007
【図３】
2004039080.tif 000008
【図４】
2004039080.tif 000009
【図５】
2004039080.tif 000010
【図６】
2004039080.tif 000011
【図７】
2004039080.tif 000012
【図８】
2004039080.tif 000013
【図９】
2004039080.tif 000014
【図１０】
2004039080.tif 000015
【図１１】
2004039080.tif 000016
【図１２】
2004039080.tif 000017
【図１３】
2004039080.tif 000018
【図１４】
2004039080.tif 000019
【図１５】
2004039080.tif 000020
【図１６】
2004039080.tif 000021
【図１７】
2004039080.tif 000022
【図１８】
2004039080.tif 000023
【図１９】
2004039080.tif 000024
【図２０】
2004039080.tif 000025